(57)【特許請求の範囲】
【請求項１】
インターホン機能を有する住戸用制御部を備えた防災監視盤から引き出された伝送線と通話線に、インターホン機能を有するインターホン制御部を備え住戸内に設置した住戸用火災感知器により火災を監視する住戸用火災受信機を接続し、前記防災監視盤から共用部に引き出された感知器回線に共用部用火災感知器を接続し、前記住戸用火災受信機から火災確認信号又は共用部用火災感知器から火災信号を前記防災監視盤で受信して火災と判断した際に、火災発生場所に応じ予め定めた複数住戸に設置された住戸用火災受信機及び共用部に音声警報信号を送信して住戸用スピーカ及び共用部用スピーカから出力させる防災監視設備において、
前記防災監視盤に、火災判断時に前記所定の住戸用火災受信機に前記伝送線により音声警報出力制御信号を送信すると共に音声合成部から音声警報信号を出力させる監視制御部と、
前記監視制御部による音声警報信号の送出時に前記通話線を前記インターホン制御部の通話回路から切り離して前記音声合成部の出力に切替える第１切替回路と、
前記音声合成部からの音声警報信号を増幅して前記監視制御部により選択された共用部用スピーカの回線に送出する共用部アンプとを備え、
前記住戸用火災受信機の各々に、前記防災監視盤からの音声警報出力制御信号を受信した際に、前記住戸用制御部の通話回路に対する前記通話線の接続を切り離して前記住戸用スピーカを接続した住戸用アンプの入力に切替える第２切替回路を備え、
音声警報時に前記第１及び第２の切替回路を切り替え、前記防災受信盤の音声合成部と前記住戸用火災受信機の住戸用アンプをインターホン用の通話線を介して接続し、音声警報部から出力した音声警報信号を住戸用火災受信機の住戸用アンプを介してスピーカから音声警報することを特徴とする防災監視設備。
【請求項２】
請求項１記載の防災監視設備において、
前記住戸用火災受信機の第２切替回路は、通常時は、前記通話線を前記住戸用制御部の通話回路に接続する通話線切替接点と、住戸用音声合成部の出力を前記住戸用アンプの入力に接続するアンプ切替接点を備え、
音声警報出力時は前記通話線切替接点を通話線から切り離してバイパス線の一端に接続すると共に前記アンプ切替接点を前記住戸用音声合成部の出力から切り離して前記バイパス線の他端に接続することを特徴とする防災監視設備。
【請求項３】
インターホン機能を有する住戸用制御部を備えた防災監視盤から引き出された伝送線、通話線及び音声信号線に、インターホン機能を有するインターホン制御部を備え住戸内に設置した住戸用火災感知器により火災を監視する住戸用火災受信機を接続し、前記防災監視盤から共用部に引き出された感知器回線に共用部用火災感知器を接続し、前記住戸用火災受信機から火災確認信号又は共用部用火災感知器から火災信号を前記防災監視盤で受信して火災と判断した際に、火災発生場所に応じて予め定めた複数住戸に設置された住戸用火災受信機及び共用部に火災警報の音声信号を送信して住戸用スピーカ及び共用部用スピーカから出力させる防災監視設備において、
前記防災監視盤に、火災判断時に前記所定の住戸用火災受信機に前記伝送線により音声警報出力制御信号を送信すると共に音声合成部からの音声警報信号を前記音声信号線に送出させる監視制御部と、前記音声合成部からの音声警報信号を増幅して前記監視制御部により選択された共用部用スピーカの回線に送出する共用部用アンプとを設け、
前記住戸用火災受信機の各々に、前記防災監視盤からの音声警報出力制御信号を受信した際に、前記住戸用スピーカを接続した住戸用アンプの入力を住戸用音声合成部から切り離して前記音声信号線との接続に切替える切替回路を設け、
前記防災監視盤の前記音声合成部から出力させる音声警報信号を前記住戸用火災受信機の住戸用アンプを介してスピーカから出力することを特徴とする防災監視設備。
【発明の詳細な説明】
【０００１】
【発明の属する技術分野】
本発明は、防災監視盤で集合住宅の各住戸及び共用部の火災を監視して火災発生時に例えば出火階および直上階の住戸用火災受信機等に音声警報信号を送って警報させる防災監視設備に関する。
【０００２】
【従来技術】
従来、集合住宅の防災監視設備にあっては、住戸内に設置したインターホン子機付きの住戸用火災受信機から引き出された感知器回線に火災感知器を接続して住戸毎に火災を監視しており、各住戸の住戸用火災受信機を更に管理人室などに設置した防災監視盤に接続して集中監視している。
【０００３】
このような集合住宅の防災監視設備において、火災発生時に火災発生場所を含む警報メッセージを防災監視盤から変調して送り、住戸用火災受信機で復調してスピーカで警報するものとして、特開平９−２８２５８４号が知られている。
【０００４】
【発明が解決しようとする課題】
ところで、集合住宅の防災監視設備にあっては、住戸のみならず、ロビー、階段、廊下などの共用部についても火災を監視する必要があり、共用部に対し防災監視盤から引き出された感知器回線に火災感知器を接続し、直接火災を監視している。
【０００５】
また火災時に音声メッセージによる警報を出すため、共用部にもスピーカを設置する必要があり、住戸と同じ音声メッセージ信号を防災監視盤に設けているパワーアンプで増幅して共用部スピーカに送っている。
【０００６】
更に防災監視盤による火災発生時の警報には、全ての住戸及び共用部で警報する全館一斉鳴動や、出火階と直上階の住戸及び共用部で警報する近隣警報があり、このような場合には、音声メッセージ信号をパワーアンプで増幅して多数の住戸スピーカ及び共用部スピーカに送出することとなり、パワーアンプとして全館一斉鳴動のためのスピーカ負荷を満たす容量が必要となる。
【０００７】
このため共用部での警報も必要とする実際の防災監視設備では、音声メッセージの警報に使用する防災監視盤のパワーアンプの容量が大きくなってしまうため、設備コストが高価になる問題がある。
【０００８】
本発明は、住戸用火災受信機のアンプを利用することで共用部の音声警報に使用する防災監視盤のアンプの容量を小さくできるようにした防災監視設備を提供することを目的とする。
【０００９】
【課題を解決するための手段】
この目的を達成するため本発明は次のように構成する。まず本発明は、インターホン機能を有する住戸用制御部を備えた防災監視盤から引き出された伝送線と通話線に、インターホン機能を有するインターホン制御部を備え住戸内に設置した住戸用火災感知器により火災を監視する住戸用火災受信機を接続し、防災監視盤から共用部に引き出された感知器回線に共用部用火災感知器を接続し、住戸用火災受信機から火災確認信号又は共用部用火災感知器から火災信号を防災監視盤で受信して火災と判断した際に、火災場所に応じて予め定めた複数の住戸に設置された住戸用火災受信機及び共用部に音声警報信号を送信して住戸用スピーカ及び共用部用スピーカから出力させる防災監視設備を対象とする。
【００１０】
このような防災監視設備につき本発明は、防災監視盤に、火災判断時に所定の住戸用火災受信機に伝送線により音声警報出力制御信号を送信すると共に音声合成部から音声警報信号を出力させる監視制御部と、監視制御部による音声警報信号の送出時に通話線をインターホン制御部の通話回路から切り離して音声合成部の出力に切替える第１切替回路と、音声合成部からの音声警報信号を増幅して監視制御部により選択された共用部用スピーカの回線に送出する共用部アンプとを設ける。
【００１１】
そして本発明は、住戸用火災受信機の各々には、防災監視盤からの音声警報出力制御信号を受信した際に、住戸用制御部の通話回路に対する通話線の接続を切り離して住戸用スピーカを接続した住戸用アンプの入力に切替える第２切替回路を設け、音声警報時に第１及び第２の切替回路を切り替え、防災受信盤の音声合成部と住戸用火災受信機の住戸用アンプをインターホン用の通話線を介して接続し、音声警報部から出力した音声警報信号を住戸用火災受信機の住戸用アンプを介してスピーカから音声警報する。
【００１２】
ここで、住戸用火災受信機の第２切替回路は、通常時は、通話線を住戸用制御部の通話回路に接続する通話線切替接点と、住戸用音声合成部の出力を住戸用アンプの入力に接続するアンプ切替接点を備え、音声警報出力時は通話線切替接点を通話線から切り離してバイパス線の一端に接続すると共にアンプ切替接点を住戸用音声合成部の出力から切り離してバイパス線の他端に接続する。
【００１３】
このため全館一斉鳴動や近隣火災警報の際の住戸に対する音声警報信号は、住戸用火災受信機に設けているアンプで増幅するため、防災監視盤のアンプの容量は、共用部に設置しているスピーカの台数に見合った小さい容量で良く、その分設備コストが低減される。
【００１４】
本発明の別の形態にあっては、防災監視盤と住戸用火災受信機との間に更に音声信号線を設けている。即ち、インターホン機能を有する住戸用制御部を備えた防災監視盤から引き出された伝送線、通話線及び音声信号線に、インターホン機能を有するインターホン制御部を備え住戸内に設置した住戸用火災感知器により火災を監視する住戸用火災受信機を接続し、防災監視盤から共用部に引き出された感知器回線に共用部用火災感知器を接続し、住戸用火災受信機から火災確認信号又は共用部用火災感知器から火災信号を防災監視盤で受信して火災と判断した際に、火災発生場所に応じて予め定めた複数住戸に設置された住戸用火災受信機及び共用部に火災警報の音声信号を送信して住戸用スピーカ及び共用部用スピーカから出力させる防災監視設備において、防災監視盤に、火災判断時に所定の住戸用火災受信機に伝送線により音声警報出力制御信号を送信すると共に音声合成部からの音声警報号を音声信号線に送出させる監視制御部と、音声合成部からの音声警報信号を増幅して監視制御部により選択された共用部用スピーカの回線に送出する共用部用アンプと設け、住戸用火災受信機の各々に、防災監視盤からの音声警報出力制御信号を受信した際に、住戸用スピーカを接続した住戸用アンプの入力を住戸用音声合成部から切り離して音声信号線との接続に切替える切替回路を設け、前記防災監視盤の音声合成部から出力させる音声警報信号を住戸用火災受信機の住戸用アンプを介してスピーカから出力することを特徴とする。
【００１５】
この場合にも、全館一斉鳴動や近隣火災警報の際の住戸に対する音声警報信号は、住戸用火災受信機に設けているアンプで増幅するため、防災監視盤のアンプの容量は、共用部に設置しているスピーカの台数に見合った小さい容量で良く、その分設備コストが低減される。
【００１６】
【発明の実施の形態】
図１は本発明の防災監視設備の実施形態を示したブロック図である。図１において、防災監視盤１からは、各住戸側に対し伝送線２８と通話線２９が引き出され、この伝送線２８と通話線２９に対し住戸用火災受信機２が各住戸ごとに接続されている。
【００１７】
住戸用火災受信機２はインターホン機能を有する住戸用制御部１１を備え、住戸用制御部１１は、制御部１２、伝送回路１３、通話回路１４、音声合成部１５から構成されている。
【００１８】
また住戸用制御部１１に対しては、火災表示灯２１、インターホン機能の一部を構成するハンドセット２２、トランジスタ２３により作動されるリレー２４、音声合成部１５からの音声信号を増幅するアンプ２５と住戸用スピーカ２６が設けられている。感知器回線１８には住戸用火災感知器２０が接続され、また終端には終端抵抗１９が接続されている。住戸用制御部１１の構成の一部又は全部は、ＭＰＵ（マイクロプロセッサユニット）の制御機能により実現することができる。
【００１９】
更に住戸用火災受信機２に対しては、住戸玄関口などに設置されたドアホン２７が接続されている。このドアホン２７には戸外表示器２７ａが設けられている。
【００２０】
ここで防災監視盤１と住戸用火災受信機２との間の伝送線２８による伝送は、住戸用火災受信機２側に固有のアドレスを設定し、防災監視盤１からのアドレスの指定による住戸用火災受信機２の呼出しで信号を伝送するいわゆるＲ型伝送方式を採用している。住戸用火災受信機２へのアドレスの設定は、ディップスイッチ等で構成されるアドレス設定部１６で行われる。
【００２１】
また住戸用制御部１１の制御出力によりオン、オフされるトランジスタ２３の負荷となるリレー２４とその切替リレー接点２４ａ，２４ｂにより、第２切替回路が構成される。リレー２４の切替リレー接点（通話線切替接点）２４ａは、通常監視状態では通話線２９を通話回路１４に接続し、防災監視盤１に設けているハンドセット３７とインターホン親機と住戸用火災受信機２に設けているハンドセット２２との間での通話ができるようにしている。
【００２２】
また切替リレー接点（アンプ切替接点）２４ｂは、図示のように通常監視状態では音声合成部１５に閉じており、インターホンの呼出音や住戸用火災感知器２０からの発報信号により火災監視部１７がで火災を検知し、火災発報信号を出力した際に住戸内に音声警報を出すようにしている。
【００２３】
リレー２４は、防災監視盤１から火災判断に基づく近隣火災警報や全館一斉鳴動のための音声警報出力制御信号を伝送回路１３を介して制御部１２で受けた際の制御部１２の制御出力によるトランジスタ２３のオンにより駆動され、切替リレー接点２４ａ，２４ｂを破線のようにバイパス線３１に切り替え、防災監視盤１からの通話線２９による近隣火災警報や全館一斉鳴動のための音声メッセージ信号を直接アンプ２５に加え、住戸用スピーカ２６から近隣火災警報や全館一斉鳴動の音声メッセージを出力できるようにしている。
【００２４】
防災監視盤１はＭＰＵを用いた監視制御部３０を備える。もちろんＭＰＵで構成される監視制御部３０には、ＲＯＭやＲＡＭなどが設けられている。監視制御部３０に対しては液晶表示部４と操作部３３が接続される。また監視制御部３０に対しては主音響用音声合成部４３が設けられ、その出力にアンプ４４を介して主音響用スピーカ４５を接続している。
【００２５】
防災監視盤１にはインターホン機能を有するインターホン制御部３４が設けられ、伝送回路３５と通話回路３６が設けられている。このインターホン制御部３４に設けた伝送回路３５は、伝送線２８を介して接続された住戸側の住戸用火災受信機２及び防災監視盤１に内蔵している中継器４０のアドレスを指定して、制御信号（制御コマンド）やデータの伝送を行うＲ型伝送機能を実現する。インターホン制御部３４の構成の一部又は全部は、ＭＰＵの制御機能により実現可能である。
【００２６】
防災監視盤１に設けている中継器４０からは住宅の共用部に対し共用部感知器回線４１が引き出され、ここに共用部用火災感知器４２が接続され、また終端には終端抵抗４２ａが接続されている。なお、共用部の大きさや数により、適宜、中継器４０、共用部感知器回線４１、及び共用部用火災感知器４２が設けられる。また伝送回路３５及び通話回路３６に対しては集合玄関機３８が接続される。
【００２７】
このため集合玄関機３８と防災監視盤１のハンドセット３７との通話、また住戸用火災受信機２のハンドセット２２との通話、集合玄関ドアの開閉制御ができる。
【００２８】
防災監視盤１の監視制御部３０に対しては近隣火災警報や全館一斉鳴動を行うための音声合成部４６が設けられ、その出力はパワーアンプ４７を介して回線選択部４９に接続されている。回線選択部４９に対しては共用部に設置された共用部用スピーカ５０ａ〜５０ｎが接続されている。
【００２９】
回線選択部４９の選択制御は、監視制御部３０に対し設けた入出力制御部４８により行われる。即ち監視制御部３０で住戸用火災受信機２からの火災確認信号または中継器４０からの火災信号の受信に基づいて火災及び火災発生地区を判断すると、入出力制御部４８に対し例えば近隣火災警報であれば出火階及び直上階の共用部に対する回線選択を指示し、これに基づき入出力制御部４８が出火階及び直上階に対応する回線選択部４９に設けているリレーを駆動し、その接点をオンすることでパワーアンプ４７の出力に出火階及び直上階の共用部に設けている共用部スピーカ５０ａ〜５０ｎの内の対応するスピーカを接続する。
【００３０】
同時に監視制御部３０は、インターホン制御部３４の伝送回路３５を介して出火階及び直上階の住戸の住戸用火災受信機２に対し、そのアドレスを指定して音声警報出力制御信号を送り、トランジスタ２３のオンによるリレー２４の駆動で切替リレー接点２４ａ，２４ｂを破線側に切り替える。
【００３１】
更にインターホン制御部３４には、トランジスタ５１、リレー５２、切替リレー接点５２ａで構成される第１切替回路が設けられ、監視制御部３０からの音声警報出力制御信号によりトランジスタ５１を駆動することでリレー５２を作動し、その切替リレー接点５２ａを同じく破線側に切り替え、この状態で音声合成部４６より火災警報の音声メッセージ信号を出力することで、住戸及び共用部のスピーカから火災警報の音声メッセージを出力できるようにしている。
【００３２】
更に防災監視盤１には電源部５３が設けられ、商用ＡＣ１００Ｖにより内部に対する直流電源電圧を作り出している。
【００３３】
なお、監視制御部３０における住戸用火災受信機２からの火災確認信号、中継器４０からの火災信号の受信における火災判断にあっては、受信により直ちに火災と判断しても良いし、公知の蓄積処理を行うことで火災を判断するようにしても良い。
【００３４】
次に図１の防災監視設備における動作を説明する。なお、火災警報は近隣火災警報を例にとる。
【００３５】
住戸用火災受信機２を設置しているある住戸で火災が発生したとすると、住戸用火災感知器２０が発報し、発報信号が火災監視部１７で受信され、火災監視部１７からの火災発報信号を受けて住戸用制御部１１は、その制御部１２により火災表示灯２１を点灯し、併せてドアホン２７に設けている戸外表示器２７ａを点滅する。
【００３６】
また音声合成部１５を作動し、住戸用スピーカ２６より例えば「火災感知器が作動しました。火災を確認してください。」などの音声メッセージを出力させる。
【００３７】
このような住戸用火災受信機２における火災受信の動作に対し、居住者が火災を確認したならば、図示しない火災確認釦を操作すると、伝送線２８により防災監視盤１に対し火災確認信号が送出される。
【００３８】
また火災確認釦を操作しなくとも、火災受信から予め一定時間例えば２〜５分以内に定めた一定時間を経過すると、自動的に伝送線２８より防災監視盤１に対し火災確認信号を送出する。なお火災受信から一定時間を経過する前に住戸用火災受信機２に設けられる図示しない警報音停止釦や復旧釦を操作すると、防災監視盤１に対する火災確認信号の送出は行われず初期状態に復旧する。
【００３９】
防災監視盤１は、火災発生住戸の住戸用火災受信機２からの火災確認信号をインターホン制御部３４の伝送回路３５を経由して監視制御部３０で受信すると、その監視制御部３０の機能により火災及び火災発生住戸を判断すると、主音響用音声合成部４３を作動してアンプ４４により増幅した後、主音響用スピーカ４５より火災発生を示す主音響の音声メッセージ出力、例えば「火事です。火事です。○○階△△△△号室で火災が発生しました。」などの主音響メッセージを出力する。
【００４０】
同時に、液晶表示部４に火災発生住戸の認証として「○○階△△△△号室で火災発生」などの地区名称（火災発生住戸）を表示する。また防災監視盤１において、図示しない火災代表表示や住戸警報表示を行わせる。
【００４１】
続いて監視制御部３０は火災発生住戸から、その火災発生階の住戸及び直上階の住戸、更に共用部のアドレスを認識し、火災発生階及び直上階の住戸にインターホン制御部３４の伝送回路３５経由で、アドレスを指定して近隣火災警報のために音声警報出力制御信号を送る。
【００４２】
このため火災発生階の住戸及び直上階の住戸にあっては、住戸用火災受信機２の住戸用制御部１１において防災監視盤１からの音声警報出力制御信号が判別され、第２切替回路におけるリレー２４の作動で切替リレー接点２４ａ，２４ｂを破線側のバイパス線３１に切り替え、また防災監視盤１の第１切替回路においてもインターホン制御部３４が制御出力によりリレー５２を作動し切替リレー接点５２ａを破線側に切り替え、音声合成部４６の出力を通話線２９に接続する。
【００４３】
同時に監視制御部３０は入出力制御部４８に火災発生階及び直上階の共用部の回線選択のための制御指示を行い、これを受けて回線選択部４９の火災発生階及び直上階の回線に対応したリレーが作動され、出火階及び直上階の共用部用スピーカ５０ａ〜５０ｎがパワーアンプ４７の出力に接続される。
【００４４】
このような近隣火災警報の出力制御が済んだ状態で、監視制御部３０は音声合成部４６を作動し、近隣火災警報の音声メッセージ信号を出力させる。この近隣火災警報の音声メッセージ信号は、第１シグナルとして「フィンフォンフィンフォンフィンフォン」を出した後、警報メッセージとして「火事です。火事です。○○階△△△△号室で火災が発生しました。安全を確認の上避難してください」との出力を行い、最後に「フィフィフィ」との第２シグナルを出し、これを繰り返す。
【００４５】
このような近隣火災警報用の音声合成部４６からの音声信号により、出火階及び直上階の住戸用火災受信機２の住戸用スピーカ２６、更に出火階及び直上階の共用部に設けている共用部スピーカ５０ａ〜５０ｎより、近隣火災警報の音声メッセージの出力が行われる。なお火災警報時にあっては通話線２９は音声警報のために使用されることから、インターホン機能は停止されることになる。
【００４６】
一方、共用部での火災発生に対しては中継器４０で共用部用火災感知器４２からの発報信号を受信して火災信号をインターホン制御部３４の伝送回路３５経由で監視制御部３０に出力し、この場合にも住戸用火災受信機２からの火災確認信号を受信した場合と同様にして、出火場所を共用部と判断した火災警報制御が行われる。
【００４７】
また図１の防災監視設備におけるインターホン通話は次のようになる。集合玄関機３８で住戸用火災受信機２の部屋番号を指定した呼出しが行われたとすると、防災監視盤１のインターホン制御部３４に設けている伝送回路３５より伝送線２８によりインターホン制御信号が指定した住戸用火災受信機２に送られ、伝送回路１３で受信し、制御部１２がインターホン呼出しを判断し、音声合成部１５の作動により呼出信号を音声合成部１５により作成して出力し、アンプ２５で増幅した後、住戸用スピーカ２６からインターホンの呼出音を出力させる。
【００４８】
このインターホン呼出しを受けて居住者がハンドセット２２を取り上げると、集合玄関機３８から防災監視盤１の通話回路３６、通話線２９、及び住戸用火災受信機２の通話回路１４に至る通話回線が確立され、通話を行うことができる。
【００４９】
図２は本発明による防災監視設備の他の実施形態を示したブロック図である。この実施形態にあっては、防災監視盤１からの伝送線２８及び通話線２９に加え、更に音声信号線３２を引き出し、これに住戸用火災受信機２を接続するようにしたことを特徴とする。
【００５０】
即ち図１の実施形態にあっては、通話線２９を使用して全館一斉鳴動や近隣警報などの音声警報信号を防災監視盤１から住戸用火災受信機２に送っているが、図２の実施形態にあっては専用の音声信号線３２を設けて防災監視盤１から住戸用火災受信機２に音声警報信号を送るようにしている。
【００５１】
このような音声信号線３２を新たに設けたことで、防災監視盤１の音声合成部４６の出力は直接音声信号線３２に接続される。また住戸用火災受信機２には音声信号線３２と住戸用の音声合成部１５の出力を切り替えるためのアンプ切替リレー接点２４ｂのみが設けられている。
【００５２】
防災監視盤１から火災判断に基づいて音声警報出力制御信号を伝送線２８より受けた際のトランジスタ２３の作動によるリレー２４の駆動でアンプ切替リレー接点２４ｂを破線側に閉じ、音声信号線３２により送られてくる防災監視盤１からの音声警報信号をアンプ２５で増幅し、住戸用スピーカ２６から出力させるようになる。これ以外の防災監視盤１及び住戸用火災受信機２の構成は図１の実施形態と同じになる。
【００５３】
なお上記の実施形態は集合住宅用の防災監視設備を例にとるものであったが、本発明はこれに限定されず、仕切り形成された部屋などの防火区画を監視すると同時に廊下やロビーなどの共用部を監視する適宜の場所設備につき、本発明をそのまま適用することができる。
【００５４】
また上記の実施形態は火災発生時に出火階及び直上階の予め定めた住戸及び共用部に音声警報を行う近隣警報を例にとるものであったが、全住戸及び全共用部に対し音声警報を行う全館一斉鳴動についても、全住戸を指定した音声警報出力制御信号の送信と回線選択部による全共用部のスピーカに対する回線選択で全館一斉鳴動の音声警報を行うことができる。
【００５５】
この場合、各住戸に対する音声警報出力制御信号としては、各住戸のアドレスを指定することなく、全住戸の指定を行ういわゆる共用アドレスを使用した音声警報出力制御信号の送出により住戸用のアンプ２５に対する通話線２９または音声信号線の接続を作り出し、各住戸に対する一斉鳴動の音声警報を行うようにしてもよい。更に本発明は上記の実施形態に示した数値による限定は受けない。
【００５６】
【発明の効果】
以上説明してきたように本発明によれば、火災発生時の近隣火災警報や全館一斉鳴動の際の各住戸に対する音声警報信号は、住戸用火災受信機に設けているアンプで増幅して出力させるため、防災監視盤のアンプの容量としては共用部に設置しているスピーカの台数に見合った小さい容量のアンプで良く、容量の小さなアンプで済むことで設備コストが低減され、更にアンプ自体の信頼性も保証することができる。
【図面の簡単な説明】
【図１】本発明の防災監視設備の実施形態を示したブロック図
【図２】本発明の防災監視設備の他の実施形態を示したブロッック図
【符号の説明】
１：防災監視盤
２：住戸用火災受信機
１１：住戸用制御部
１２：制御部
１３，３５：伝送回路
１４，３６：通話回路
１５，４６：音声合成部
１６：アドレス設定部
１７：火災監視部
１８：感知器回線
２０：住戸用火災感知器
２１：火災表示灯
２２，３７：ハンドセット
２３，５１：トランジスタ
２４，５２：リレー
２４ａ：通話線切替接点
２４ｂ：アンプ切替接点
２５，４４：アンプ
２６：住戸用スピーカ
２７：ドアホン
２７ａ：戸外表示器
２８：伝送線
２９：通話線
３０：監視制御部
３１：バイパス線
３２：音声信号線
３３：操作部
３４：インターホン制御部
３８：玄関集合機
４０：中継器
４１：共用部感知器回線
４２：共用部用火災感知器
４３：主音響用音声合成部
４５：主音響警報用スピーカ
４７：パワーアンプ
４８：入出力制御部
４９：回線選択部
５０ａ〜５０ｎ：共用部用スピーカ
５３：電源部
【図１】
0004615741.tif 000002
【図２】
0004615741.tif 000003